(57)【要約】【課題】ユーザーの好みに合わせた画像を提供することが可能な画像表示装置を実現する。【解決手段】画像表示部１０と、画像表示部１０の周辺に配置された額縁部２０とを備え、額縁部２０の幅を可変自在に制御可能とした画像表示装置１である。ここで、額縁部２０は、例えば、画像表示部１０を囲む非画像表示領域３０と、非画像表示領域３０を囲むフレーム部４０とを備え、非画像表示領域３０の幅を変えることで、額縁部２０の幅が可変自在に制御される。【選択図】図１Ａ
2013109239.tif 000002
【特許請求の範囲】
【請求項１】
画像表示部と、前記画像表示部の周囲に配置された額縁部とを備え、
前記額縁部の幅を可変自在に制御可能とした、
画像表示装置。
【請求項２】
前記額縁部は、前記画像表示部を囲む非画像表示領域を含み、
前記非画像表示領域の幅を変えることで、前記額縁部の幅を可変自在とする、
請求項１に記載の画像表示装置。
【請求項３】
前記画像表示装置は、前記画像表示装置の最外周にフレーム部を備え、
前記額縁部は、前記フレーム部と前記非画像表示領域とを備える、
請求項２に記載の画像表示装置。
【請求項４】
前記非画像表示領域と前記フレーム部とは、略同一色である、
請求項３に記載の画像表示装置。
【請求項５】
前記額縁部の幅は、ユーザーが自由に設定可能である、
請求項１から４のいずれか１項に記載の画像表示装置。
【請求項６】
前記額縁部の幅は、予め自動的に設定されている、
請求項１から４のいずれか１項に記載の画像表示装置。
【請求項７】
前記額縁部の幅は、前記画像表示部に表示される画像のジャンルに応じて自動的に設定される、
請求項１から４のいずれか１項に記載の画像表示装置。
【請求項８】
前記画像のジャンルが、ニュース、映画、バラエティ、又は紀行の場合には、前記額縁部の幅は、当該画像表示装置の有効画面領域の横幅の３％以下になるように設定される、
請求項７に記載の画像表示装置。
【請求項９】
前記画像表示部と前記非画像表示領域とを合わせた領域は、複数の画素からなる画素領域であり、
前記画素の表示状態を変えることで、前記非画像表示領域の幅を変える、
請求項２から４のいずれか１項に記載の画像表示装置。
【発明の詳細な説明】
【技術分野】
【０００１】
本発明は、画像表示装置に関し、特に、画像を表示する部分（画像表示部）の周辺に位置する額縁部を備える画像表示装置に関する。
【背景技術】
【０００２】
従来、テレビなどの画像表示装置は、液晶ディスプレイ（ＬＣＤ）やプラズマディスプレイパネル（ＰＤＰ）や有機ＥＬ（ＯＬＥＤ）などの、画像を表示する部分である画像表示部と、その画像表示部の周辺に位置する額縁部と、により構成されている。
【０００３】
この額縁部には、例えば、画像表示部としてＬＣＤを用いて構成した画像表示装置である液晶テレビの場合には、ブラックマトリックス、シール部、ガラス端部などの非画像表示部や、ドライバなど、が配置されており、個々の構成によって額縁部の幅は異なる。
【０００４】
ここで、画像の周辺に位置する額縁部に着目して、放送波やビデオレコーダ、インターネットなどからの画像を表示するという本来の機能を使用しないときに、絵画などの装飾用画像を表示するとともに、当該装飾用画像の周辺に一定幅の装飾用額縁を表示するテレビジョン受像機の提案がなされている（特許文献１）。
【先行技術文献】
【特許文献】
【０００５】
【特許文献１】国際公開第２０１０／０２４００２号
【発明の概要】
【発明が解決しようとする課題】
【０００６】
上記特許文献１に記載されているテレビジョン受像機は、画像を表示するという本来の機能を使用しないときの活用方法に関するものであり、目的としては、テレビジョン受像機自体をインテリアの一部として活用しようとするものである。
【０００７】
ここで本発明は、本願発明者が鋭意検討した結果、額縁部の幅が、ユーザーによって、さらには、表示される画像のジャンルによって、画像から受ける印象を異ならせしめるという新たな知見に基づきなされたものであり、その目的とするところは、放送波やビデオレコーダ、インターネットなどからの画像を表示するという本来の機能としての画像を表示する際に、ユーザーの好みに合わせた画像を提供することが可能な画像表示装置を実現することである。
【課題を解決するための手段】
【０００８】
上記課題を解決するために、本発明に係る画像表示装置の一態様は、画像表示部と、画像表示部の周辺に位置する額縁部と、を備え、前記額縁部の幅を可変自在に制御可能に構成したものである。
【発明の効果】
【０００９】
本発明によれば、本来の機能としての画像を表示する場合において、ユーザーの好みに合わせた画像を提供することが可能な画像表示装置を実現することができる。
【図面の簡単な説明】
【００１０】
【図１Ａ】本発明の実施の形態１に係る画像表示装置の構成を模式的に示す正面図である。
【図１Ｂ】本発明の実施の形態１に係る画像表示装置の有効画面領域の構成を模式的に示す正面図である。
【図２Ａ】本発明の実施の形態２に係る画像表示装置の動作状態（額縁部が幅広状態）を示す図である。
【図２Ｂ】本発明の実施の形態２に係る画像表示装置の動作状態（額縁部が幅狭状態）を示す図である。
【図３】本発明の実施の形態４に係る画像表示装置において、画像のジャンルとフレームの幅とに応じてユーザーが受ける印象の違いの実験結果を示す図である。
【図４】本発明の実施の形態４に係る画像表示装置において、画像が立体的に見えるときのフレームの幅の境界条件の実験結果を示す図である。
【図５Ａ】本発明の実施の形態４に係る画像表示装置の動作状態（額縁部が幅広状態）を模式的に示す図である。
【図５Ｂ】本発明の実施の形態４に係る画像表示装置の動作状態（額縁部が幅狭状態）を模式的に示す図である。
【発明を実施するための形態】
【００１１】
＜本発明に至った経緯＞
まず、本発明の実施の形態の説明に先立って、本願発明者が本発明に至った経緯について説明する。
【００１２】
前述したように本願発明者は、画像表示装置が表示する画像がユーザーに与える印象について実験的に明らかにした。具体的には、表示する画像と額縁部とが一体化した画像がユーザーの視野に入ってくる際の、ユーザーへの印象に対する額縁部の幅の影響についてである。
【００１３】
画像表示装置の画像表示部に表示された画像をユーザーが見る場合、視野の中心部には表示された画像が位置するが、視野の周辺には額縁部が位置するので、表示された画像と額縁部とが一体化した画像として視野に入る。
【００１４】
したがって、同じ表示画像を見る場合でも、幅の広い額縁部を備える画像表示装置で表示された画像を見る場合は、周辺の幅の広い額縁部と一体化した画像を見ることになり、幅の狭い額縁部を備える画像表示装置で表示された画像を見る場合は、周辺の幅の狭い額縁部と一体化した画像を見ることになる。
【００１５】
実験の結果として、詳細は後述するが、ユーザーによって、さらには、表示される画像のジャンルによって、好みの額縁部の幅が異なることが明らかとなった。
【００１６】
本発明は、このような新たな知見に基づいてなされたものであり、本発明に係る画像表示装置の一態様は、画像表示部と、画像表示部の周辺に位置した額縁部とを備え、前記額縁部の幅を可変自在としたものである。
【００１７】
このような構成によれば、ユーザーの好みに応じて額縁部の幅を自由に設定することができるので、ユーザーの好みに合わせた画像を提供することが可能となる。
【００１８】
以下、本発明に係る画像表示装置の実施の形態についてさらに詳細に説明するが、当然ながら本発明はこれらの形式に限定されるものでなく、本発明の技術的範囲を逸脱しない範囲で適宜変更して実施することができる。
【００１９】
また、請求項に記載されていない構成要素は、本発明の課題を達成するのに必ずしも必要ではないが、より好ましい形態を構成するものとして説明される。なお、各図において、同じ構成要素には同じ符号を付している。
【００２０】
＜実施の形態１＞
本発明の一実施の形態である、実施の形態１に係る画像表示装置１について、図１Ａ及び図１Ｂを用いて説明する。
【００２１】
図１Ａは、実施の形態１に係る画像表示装置の構成を模式的に示す正面図である。また、図１Ｂは、実施の形態１に係る画像表示装置の有効画面領域の構成を模式的に示す正面図である。
【００２２】
図１Ａに示すように、画像表示装置１は、ＬＣＤやＰＤＰやＯＬＥＤなどのディスプレイパネルで、画像表示を行う部分である画像表示部１０と、その画像表示部１０を囲むように画像表示部１０の周辺に位置する額縁部２０と、を備える。
【００２３】
また画像表示装置１は、ディスプレイパネルの画素領域の一部を構成していて画像表示が可能であるが画像表示を行わない領域（非発光領域）、又は、画像表示部１０が表示する画像とは異なる画像を表示する領域、である、非画像表示領域３０を備える。
【００２４】
さらに画像表示装置１は、ディスプレイパネルの最外周に、例えば樹脂材料又は金属材料などによって所定の形状に成型又は加工された枠体部分であるフレーム部４０を備えてもよい。すなわち、本実施の形態に係る画像表示装置１においては、額縁部２０は、少なくとも非画像表示領域３０を備えた構成であり、さらにフレーム部４０を備えても良い。なお、本実施の形態では、図１Ａに示すように、額縁部２０は非画像表示領域３０とフレーム部４０との両方を備えた構成を例示的に示している。
【００２５】
上述のような構成において、ユーザーは好みに応じて非画像表示領域３０の幅を自由に設定することで額縁部２０の幅を可変自在に設定することができ、その結果、ユーザーの好みに合わせた画像を楽しむことができる。
【００２６】
なお、画像表示装置１に表示される画像は、動画において好適だが、静止画でもかまわない。
【００２７】
なお、額縁部２０の幅の可変自在な設定は、例えば、画像表示装置１が額縁幅制御部（不図示）を備えることにより実現される。すなわち、額縁幅制御部は、ユーザーからの設定により非画像表示領域３０の幅を可変自在に設定する機能を有しており、額縁幅制御部によって非画像表示領域３０の幅が設定されることで額縁部２０の幅が可変自在に設定される。
【００２８】
なお、非画像表示領域３０とフレーム部４０との色は、非画像表示領域３０とフレーム部４０とで額縁部２０を構成するということから、見た目に一体となるような、略同一色にすれば、より好ましい。
【００２９】
ここで、非画像表示領域３０が非発光状態である際の色と略同一色となるように、フレーム部４０の色を選択してやれば、画像表示装置１の方式にもよるが、画像表示装置１自身の省電力が図られて好ましい。すなわち例えば、画像表示装置１が、ＯＬＥＤやＰＤＰなどの自発光型のディスプレイパネルを用いたものである場合には、フレーム部４０の色の方を、非発光状態での非画像表示領域３０の色に合わせてと略同一色にすることで、画像表示装置１の省電力化を図ることができる。
【００３０】
また、画像表示装置１として、フレーム部４０までを含めたディスプレイの前面全てをガラス面で覆った、いわゆる「フルグラスフェイス」構造とすると、より好ましい。なぜなら、画像表示装置１をフルグラスフェイス構造とすることで、前面においてフレーム部４０と有効画面領域５０との間に段差がなくなることから、非画像表示領域３０とフレーム部４０との、見た目としての一体化がさらに促進されるからである。
【００３１】
また、額縁部２０の幅は、画像表示装置１の上下左右の４辺ですべて同じであっても、上下で同じ、および／または、左右で同じ、であっても、あるいは４辺全てにおいて互いに異なっていても、構わない。また、画像表示部１０の上下左右すべての周辺に非画像表示領域３０が設定されていても、上下左右すべての周囲に設定されてなくても、構わない。但し、ユーザーの視環境を考慮すると、画像表示部１０の一辺に対しては、一辺全てに非画像表示領域３０を設定することが好ましく、さらに、同一辺の領域内では非画像表示領域３０（額縁部２０）の幅は一定であることが好ましい。
【００３２】
また、本実施の形態では、非画像表示領域３０の幅が変動するのに伴って画像表示部１０の面積が変動する。
【００３３】
この場合、例えば、画像表示部１０に表示される画像の大きさを、画像表示部１０の面積に応じて変化させても良い。すなわち、画像表示部１０の面積が狭くなる場合、画像表示部１０に表示する画像は、画像全体を縮小させて非画像表示領域３０が表示されない場合と同じ情報量をもつ画像を表示することができる。
【００３４】
また、例えば、画像表示部１０に表示される画像の大きさを、非画像表示領域３０の幅に応じて変更しないように構成しても構わない。すなわち、画像表示部１０には、有効画面領域５０全体で表示する画像のうちの非画像表示領域３０と重なる部分をカットした画像を表示すればよい。表示する画像は、通常、視野中央となる画像表示部１０中央に、情報が集中しているため、画像の周囲をカットしても、必要な情報は保持される場合が多く、実質上、問題となることは少ない。
【００３５】
ここで、画像表示装置１における有効画面領域５０は、図１Ｂに示すように、画像表示部１０と非画像表示領域３０とを合わせた領域であり、例えば、ＬＣＤ、ＰＤＰ、ＯＬＥＤなどのディスプレイパネルの画素領域を構成する。
【００３６】
すなわち、有効画面領域５０は、複数の画素がマトリクス状に配置された画素領域であって、画像を表示することが可能な領域であり、したがって、画像表示部１０だけではなく非画像表示領域３０についても画像を表示することができる。
【００３７】
このように、非画像表示領域３０は、画像表示装置１の表示機能としては、画像表示部１０とともに画像を表示することが可能な領域ではあるが、本発明では、前述のように、画像表示を行わない領域（非発光領域）、又は、画像表示部１０が表示する画像とは異なる画像を表示する領域、であり、額縁部２０の一部として機能する。
【００３８】
なお、フレーム部４０のあり、なしに関わらず、非画像表示領域３０が０ｃｍの値をとる場合もある。
【００３９】
＜実施の形態２＞
次に、本発明の一実施の形態である、実施の形態２に係る画像表示装置について説明する。
【００４０】
本実施の形態は、本願発明者が行った、画像の視環境とユーザーの好みについて実験した結果に基づくものである。実験結果を表１に示す。
【００４１】
【表１】
2013109239.tif 000003
【００４２】
この実験では、画像表示装置における額縁部の幅を広くした場合と狭くした場合との２種類の視環境の条件を設定した。そして、これら２種類の視環境の条件下で画像をユーザーに見せたときに、ユーザーにとってどちらの視環境の条件の方が好ましく感じるのかを実験した。
【００４３】
なお、この実験では、画像表示装置としては６０インチの液晶テレビを用い、視距離は３Ｈ（Ｈは、ディスプレイの画面の高さを示す）とした。
【００４４】
そして、非画像表示領域３０はフレーム部４０とともに視覚的に一体化されるように非画像表示領域３０の表示色をフレーム部４０の色を略同一色とした。
【００４５】
また、額縁部の形状は、６０インチの液晶テレビの４辺に沿った、幅が一定の枠状である。
【００４６】
以上の条件で実験した結果を上記の表１に示しており、表１では、一例として、幅の広い額縁部は７．４ｃｍ、幅の狭い額縁部は０．４ｃｍの場合の結果を示している。ユーザーごとに、表示される画像に対し、好みの視環境には○印をつけている。
【００４７】
表１から明らかなように、同じ画像を見る場合であっても、ユーザーによって、好みの視環境が異なることが明らかとなった。つまり、同じ画像を見る場合であっても、額縁部の幅が広い画像表示装置の方が好きなユーザーと、額縁部の幅が狭い画像表示装置の方が好きなユーザーとが存在することが判った。
【００４８】
ここで、本実施の形態に係る画像表示装置の表示動作について、図２Ａ及び図２Ｂを用いて説明する。図２Ａ及び図２Ｂは、本実施の形態に係る画像表示装置１の動作状態を模式的に示す図であり、図２Ａは、額縁部の幅が広い場合（非画像表示領域の幅を広設定した場合）を示しており、図２Ｂは、額縁部の幅が狭い場合（非画像表示領域の幅を狭く設定した場合）を示している。
【００４９】
本実施の形態における画像表示装置１は、代表的な表示デバイスであるフラットパネルディスプレイであり、例えば有効画面領域５０のサイズが６０インチの液晶テレビを用いることができる。また、フレーム部４０の幅は固定とし、４辺全てにおいて６ｃｍとしている。
【００５０】
画像表示装置１が画像を画像表示部１０に表示する場合、図２Ａ及び図２Ｂに示すように、表示される画像の周辺における非画像表示領域３０には、所定の幅の、フレーム部４０と略同一色の表示が行われる。
【００５１】
この場合、画像表示装置１を見ているユーザーが額縁部２０の幅を広くして画像を見ようとするときは、図２Ａに示すように、ユーザーは非画像表示領域３０の幅が広くなるように設定することにより、額縁幅制御部が、非画像表示領域３０の幅が広くなるように有効画面領域５０の周辺の画素の表示状態を制御する。
【００５２】
これにより、非画像表示領域３０の幅が広くなり、画像表示装置１の視環境としては、幅広の額縁を備えた条件となる。
【００５３】
この視環境においては、ユーザーは、画像表示部１０に表示される画像と幅広の額縁部２０とを同時に知覚し、幅広の額縁部２０を有する画像を視認することとなる。例えば、図２Ａでは、非画像表示領域３０の４辺全ての幅が５ｃｍとなるように制御されており、額縁部２０の幅は１１ｃｍとなっている。
【００５４】
一方、ユーザーが額縁部２０の幅を狭くして画像を見ようとするときは、図２Ｂに示すように、ユーザーは画像表示装置１に対して非画像表示領域３０の幅が狭くなるように設定することで、額縁幅制御部が、非画像表示領域３０の幅が狭くなるように有効画面領域５０の周辺の画素の表示状態を制御する。
【００５５】
これにより、非画像表示領域３０の幅が狭くなり、画像表示装置１の視環境としては、幅狭の額縁を備えた条件となる。
【００５６】
この視環境においては、ユーザーは、画像表示部１０に表示される画像と幅狭の額縁部２０とを同時に知覚し、幅狭の額縁部２０を有する画像を視認することとなる。例えば、図２Ｂでは、非画像表示領域３０の４辺全ての幅が１ｃｍとなるように制御されており、額縁部２０の幅は７ｃｍとなっている。
【００５７】
このように、本実施の形態に係る画像表示装置１では、非画像表示領域３０の幅が、ユーザーのそのときの好みや気分などに応じて自由に設定することができるように制御可能となっている。
【００５８】
以上、本実施の形態に係る画像表示装置１によれば、額縁部２０の幅が可変自在に制御可能に構成されている。具体的には、前述の額縁幅制御部によって非画像表示領域３０の幅を自由に設定及び調整することで、額縁部２０の幅を可変自在に制御することができる。したがって、ユーザーは、非画像表示領域３０の幅を自由に設定及び調整することで額縁部２０の幅を自由に変更することができる。これにより、ユーザーが好みの額縁部２０の幅を設定することができるので、ユーザーの好みに合わせた画像の視環境を提供することが可能な画像表示装置を実現することができる。
【００５９】
また、本実施の形態において、非画像表示領域３０の幅は、ユーザーが画像を見る前に、予め所定の値に設定されていたり、その設定された値を変更したりすることができるほか、ユーザーが画像を見ている最中でも、同様の設定操作が可能なように構成されている。これにより、ユーザーは、好みの額縁部２０の幅を随時自由に設定することができるので、ユーザーはいつでも好みや気分等に応じた視環境で画像を見ることができる。
【００６０】
なお、非画像表示領域３０の幅の制御は、額縁幅制御部によって行うことができ、例えば、ユーザーが画像表示装置１に設けられたスイッチを操作又はリモコンによる遠隔操作をすること等で実行することができる。
【００６１】
＜実施の形態３＞
次に、本発明の一実施の形態である、実施の形態３に係る画像表示装置について説明する。
【００６２】
本実施の形態は、本願発明者が行った、画像の視環境とユーザーの好みについて、画像のジャンル別に実験した結果に基づくものである。実験結果を表２に示す。
【００６３】
【表２】
2013109239.tif 000004
【００６４】
この実験では、画像表示装置における額縁部の幅を広くした場合と狭くした場合との２種類の視環境条件を設定した。その上で、それぞれの視環境下で５種類のジャンルの画像をユーザーに見せ、その上で、どちらが好ましいかを実験した。
【００６５】
なお、この実験では、画像表示装置１として６０インチの液晶テレビを用い、視距離を３Ｈ（Ｈは、ディスプレイの画面の高さを示す）とした。
【００６６】
そして、非画像表示領域３０はフレーム部４０とともに視覚的に一体化されるように非画像表示領域３０の表示色をフレーム部４０の色を略同色とした。
【００６７】
また、表示する画像のジャンルとしては、ニュース、バラエティ、アニメ、紀行及び映画とした。
【００６８】
以上の条件で実験した結果を表２に示しており、画像のジャンルごとに好ましい視環境について○印を付している。なお、表２には、一例として、額縁部２０の幅が７．４ｃｍの場合と０．４ｃｍの場合とについて、ユーザー１、２の２名についてのみの結果を示している。
【００６９】
表２から、ユーザー１は、ニュース、バラエティ及びアニメのジャンルについては、額縁部２０の幅が広い視環境の方が好ましいとしているのに対して、紀行及び映画のジャンルについては、額縁部２０の幅が狭い視環境の方が好ましいと評価している。
【００７０】
一方、ユーザー２は、バラエティ及び映画のジャンルについては、額縁部２０の幅が広い視環境の方が好ましいとしているのに対して、ニュース、アニメ及び紀行のジャンルについては、額縁部２０の幅が狭い視環境の方が好ましいと評価している。
【００７１】
以上の結果から、ユーザーごとに、画像のジャンルによって、好みの視環境、すなわち画像表示装置１における額縁部２０の好みの幅が異なることが明らかになった。
【００７２】
本実施の形態の形態に係る画像表示装置１は、上述した新たな知見に基づいてなされたものであり、額縁部２０の幅は、画像表示部１０に表示される画像のジャンルに対するユーザーの好みに応じて、指示により又は自動的に設定及び制御可能、つまり、可変自在に構成されている。
【００７３】
すなわち、画像表示装置１に表示される画像を見るユーザーは、その画像のジャンルに応じて、予め設定しておいた非画像表示領域３０の幅を選択したり、画面を見ながら随時、設定変更したりすることができる。なお、この非画像表示領域３０の幅の設定及び制御は、前述の額縁幅制御部によって行うことができる。
【００７４】
デジタルテレビでは、電子番組表（ＥＰＧ：Ｅｌｅｃｔｒｏｎｉｃ  Ｐｒｏｇｒａｍ  Ｇｕｉｄｅ）により、番組表や番組情報を閲覧できる仕組みになっており、画像はそのジャンルによって分類されている。そこで、ユーザーが、好みに応じて、予め画像のジャンルごとに好きな非画像表示領域３０の幅を設定しておくと、番組が始まり画像表示装置１が番組情報を受信することにより、自動的に非画像表示領域３０の幅が所定の値に設定され、もって額縁部２０の幅が所定の値、すなわちユーザーの好みの幅に設定される。
【００７５】
以上、本実施の形態に係る画像表示装置１によれば、ユーザーは、画像のジャンルに応じて非画像表示領域３０の幅を自由に設定及び調整することで額縁部２０の幅を可変自在とすることができ、結果、ユーザーは好みに応じた視環境での画像を楽しむことができる。
【００７６】
＜実施の形態４＞
次に、本発明の一実施の形態である、実施の形態４に係る画像表示装置について、図５Ａ、図５Ｂを用いて説明する。
【００７７】
図５Ａ、図５Ｂは、本発明の実施の形態４に係る画像表示装置１Ａの画像表示部の動作状態を模式的に示す図であり、図５Ａは、額縁部の幅が広い場合を示しており、図５Ｂは、額縁部の幅が狭い場合を示している。
【００７８】
本実施の形態に係る画像表示装置１Ａは、額縁部２０の幅が画像のジャンルに応じて設定され、さらに特定の画像のジャンルの場合に額縁部２０の幅を狭くする。
【００７９】
以下、本実施の形態に関して、本願発明者が行った実験について説明する。
【００８０】
本実施の形態では、画像の視環境が画像の印象に与える影響について、下記のような実験を行った。
【００８１】
すなわち、画像の視環境として、画像表示装置において、額縁部２０の幅を広くした条件と、額縁部の幅を狭くした条件との２種類の条件を設定した。これら２条件の画像表示装置について、５種類のジャンルの画像をユーザーに見せ、それぞれの画像から受ける印象について、評価項目にしたがって７点尺度でユーザーに評価してもらった。
【００８２】
なお、表示する画像のジャンルとしては、ニュース、バラエティ、アニメ、紀行及び映画とした。
【００８３】
また、実験では、画像表示装置１Ａとして６０インチの液晶テレビを用い、視距離を３Ｈとし、非画像表示領域３０はフレーム部４０とともに視覚的に一体化されるように非画像表示領域３０の表示色をフレーム部４０の色を略同一色とした。
【００８４】
図３は、この実験結果の一例を示すグラフであり、画像のジャンルとフレームの幅とに応じてユーザーが受ける印象（立体感）の違いを示している。図３では、額縁部２０の幅が７．４ｃｍ場合と０．４ｃｍの場合とにおいて、評価項目「画像を立体的に感じるか」についての、ユーザー１１名の平均の評価結果を示す。なお、図３の縦軸の１〜７の数値は評価を示しており、「７」は「非常に立体的に感じる」、「６」は「かなり立体的に感じる」、「５」は「やや立体的に感じる」、「４」は「どちらでもない」、「３」は「やや立体的に感じない」、「２」は「かなり立体的に感じない」、「１」は「非常に立体的に感じない」を示している。また、図３において、「ニュース」は「◇」、「バラエティ」は「○」、「アニメ」は「△」、「紀行」は「×」、「映画」は「□」として示している。
【００８５】
図３に示すように、どのジャンルの画像においても、額縁部２０の幅を狭くして画像を見た方が、額縁部２０の幅を広くして画像を見るよりも、画像を立体的に感じたことが明らかになった。
【００８６】
また、下の表３は、この実験結果を統計的検定（乱塊法）にかけた結果を示している。
【００８７】
【表３】
2013109239.tif 000005
【００８８】
表３において○印は、５％水準で有意な差が見られたことを示している。表３に示すように、画像のジャンルがニュース、バラエティ、紀行及び映画である場合において、有意な差があり、アニメの場合には有意な差は見られなかった。つまり、画像のジャンルがニュース、バラエティ、紀行又は映画である場合には、幅が狭い額縁部２０で見た方が、幅が広い額縁部２０で見るよりも有意に立体的に感じていることが明らかになった。
【００８９】
次に、本願発明者は、画像の視環境が画像の立体感に与える影響について、さらに実験を行った。この実験では、画像の視環境として、画像表示装置１Ａにおいて、額縁部２０の幅を、０．７ｃｍ、１．３ｃｍ、４．０ｃｍ、６．７ｃｍ、９．４ｃｍの５種類に変更して条件を設定し、これら５種類の幅の画像表示装置で画像を見た場合において、どの額縁部２０の幅以下のときから画像が立体的に感じるかについて、つまり、画像を立体的に感じるか感じないかの境目となる額縁部２０の幅について、２０名のユーザーに評価してもらった。なお、この実験では、画像表示装置１Ａとして６０インチの液晶テレビを用い、視距離を３Ｈとし、非画像表示領域３０はフレーム部４０とともに視覚的に一体化されるように非画像表示領域３０の表示色をフレーム部４０の色を略同一色とした。
【００９０】
図４は、この実験結果を示すグラフであり、画像を立体的に感じる境目の額縁部２０の幅についての結果を示している。
【００９１】
図４に示すように、額縁部２０の幅が４．０ｃｍの場合に、画像が立体的に感じるか感じないかの境目であるとした評価者が最も多いことがわかった。ここで、この実験では、上述のとおり６０インチの液晶テレビを使用していることから、有効画面領域５０の横幅は１３３、７ｃｍである。したがって、額縁部２０の幅が４．０ｃｍというのは、有効画面領域５０の約３％に相当する。
【００９２】
本実施の形態の形態に係る画像表示装置１Ａは、表３及び図４の結果による新たな知見に基づいてなされたものであり、図１Ａ及び図１Ｂに示す画像表示装置１において、表示される画像のジャンルが、ニュース、映画、バラエティ、又は紀行の場合には、額縁部２０の幅が有効画面領域５０の横幅の３％以下となるように設定するものである。なお、この設定及び制御は、前述の額縁幅制御部によって行うことができる。
【００９３】
ここで、画像表示装置１Ａでは、フレーム部４０の幅は４辺の領域全てにおいて一定の２ｃｍとしている。
【００９４】
画像表示装置１Ａが画像を画像表示部１０に表示する場合、図５Ａ及び図５Ｂに示すように、表示される画像の周辺における非画像表示領域３０には所定の幅の額縁画像が表示される。なお、非画像表示領域３０には、非画像表示領域３０とフレーム部４０と視覚的に一体化するように、フレーム部４０と略同一色の画像が表示されている。
【００９５】
本実施の形態では、上述のとおり、表示される画像のジャンルが、ニュース、映画、バラエティ、又は紀行の場合には、額縁部２０の幅が有効画面領域５０の横幅の３％以下となるように設定されている。ここで、デジタルテレビでは、電子番組表（ＥＰＧ）により、番組表や番組情報を閲覧できる仕組みになっており、画像はそのジャンルによって分類されている。
【００９６】
したがって、画像表示部１０に表示される画像のジャンルが、ニュース、映画、バラエティ、又は紀行の場合には、図５Ａに示すように、デジタル放送の信号を受信することにより、番組が始まると自動的に非画像表示領域３０の幅が例えば０．５ｃｍに設定され、額縁部２０の幅が２．５ｃｍとなる。一方、画像表示部１０に表示される画像のジャンルが、ニュース、映画、バラエティ、及び紀行のいずれでもない場合（アニメの場合）には、図５Ｂに示すように、非画像表示領域３０の幅は例えば４ｃｍに設定され、額縁部２０の幅は６ｃｍとなる。
【００９７】
以上、本実施の形態に係る画像表示装置１Ａによれば、額縁幅制御部によって非画像表示領域３０の幅を自由に設定及び調整することで、額縁部２０の幅を可変自在に制御することができる。
【００９８】
さらに、画像のジャンルが、ニュース、映画、バラエティ、又は紀行の場合には、額縁部２０の幅が有効画面領域５０の横幅の３％以下となるように設定される。このように額縁部２０の幅が、表示される画像のジャンルに応じて、デジタル放送などの信号によって自動的に狭く設定されることから、ユーザーは、表示画像を立体的に感じて見ることができ、画像をより楽しむことができる。
【００９９】
ここで、本実施の形態においては、非画像表示領域３０は表示パネルにおける画素領域の一部として構成し、画素の表示状態を制御することで非画像表示領域３０の幅を制御したが、これに限らない。
【０１００】
なお、以上、説明した各実施の形態および変形例に対して当業者が思いつく各種変形を施して得られる形態や、本発明の趣旨を逸脱しない範囲で各実施の形態及び変形例における構成要素および機能を任意に組み合わせることで実現される形態も本発明に含まれる。
【産業上の利用可能性】
【０１０１】
以上説明したように本発明によれば、ユーザーの好みに合わせた画像を提供することが可能な画像表示装置を実現する上で有用である。
【符号の説明】
【０１０２】
１、１Ａ  画像表示装置
１０  画像表示部
２０  額縁部
３０  非画像表示領域
４０  フレーム部
５０  有効画面領域
【図１Ａ】
2013109239.tif 000006
【図１Ｂ】
2013109239.tif 000007
【図２Ａ】
2013109239.tif 000008
【図２Ｂ】
2013109239.tif 000009
【図３】
2013109239.tif 000010
【図４】
2013109239.tif 000011
【図５Ａ】
2013109239.tif 000012
【図５Ｂ】
2013109239.tif 000013